(57)【特許請求の範囲】
【請求項１】
ディジタル画像、動画を含む著作物をインターネットを含むネットワークを介して公開したり、販売する場合に必要となる、著作物の使用条件違反チェック装置が使用条件チェックを行うための、著作物の使用条件違反チェック方法において、
透かし情報埋込手段が、原著作物に透かし技術により消去あるいは、改ざん不可能な形態で透かし情報を埋め込み、
格納手段が、管理データベースに少なくとも前記原著作物情報、著作者情報、使用条件、ＵＲＬを含む使用可能なサーバ情報を格納し、
送信手段が、透かし情報が埋め込まれた著作物情報を購入申し込みを行った購入者サーバに送信し、
チェック手段が、所定または、任意のタイミングで使用条件に違反していないかを、前記ＵＲＬに基づき使用可能なサーバにアクセスしてチェックする
ことを特徴とする著作物の使用条件違反チェック方法。
【請求項２】
埋め込む前記電子透かし情報を、著作物ＩＤ、著作者ＩＤ、購入した場合は、さらに、購入者ＩＤとし、
前記管理データベースに格納する情報を、著作物ＩＤ，著作物名、著作者ＩＤ、著作者名、購入した場合は購入者ＩＤ、使用条件、前記ＵＲＬを含む使用可能なサーバ情報とする請求項１記載の著作物の使用条件違反チェック方法。
【請求項３】
前記チェック手段が、
前記使用条件に違反していないかをチェックする際に、
使用条件を指定して、該使用条件に合致していない候補を前記管理データベースから抽出し、
抽出された情報に含まれる前記ＵＲＬに基づき使用可能なサーバにアクセスし、
前記透かし情報が埋め込まれた著作物情報をダウンロードし、
ダウンロードされた著作物情報から埋め込まれている透かし情報を抽出し、
該透かし情報に基づいて前記管理データベースから対応する情報を読み込んで、使用条件をチェックする請求項１記載の著作物使用条件違反チェック方法。
【請求項４】
ディジタル画像、動画を含む著作物インターネットを含むネットワークを介して公開したり、購入者に送信することにより販売するコンテンツ管理サーバにおいて、該著作物の使用条件をチェックする著作物の使用条件違反チェック装置であって、
原著作物に透かし技術により消去あるいは、改ざん不可能な形態で透かし情報を埋め込む透かし情報埋込手段と、
管理データベースに少なくとも前記原著作物情報、著作者情報、使用条件、ＵＲＬを含む使用可能なサーバ情報を格納する格納手段と、
前記透かし情報埋込手段により透かし情報が埋め込まれた著作物情報を購入申し込みを行った購入者サーバに送信する送信手段と、
所定または、任意のタイミングで使用条件に違反していないかを、前記ＵＲＬに基づき使用可能なサーバにアクセスしてチェックするチェック手段と、
を有することを特徴とする著作物の使用条件違反チェック装置。
【請求項５】
前記透かし情報埋込手段は、埋め込む前記透かし情報を、著作物ＩＤ、著作者ＩＤ、購入した場合は、さらに、購入者ＩＤとする
請求項４記載の著作物の使用条件違反チェック装置。
【請求項６】
前記格納手段は、前記管理データベースに格納する情報を、著作物ＩＤ、著作物名、著作者ＩＤ、著作者名、購入した場合は購入者ＩＤ、使用条件、前記ＵＲＬを含む使用可能なサーバ情報とする
請求項４記載の著作物使用条件違反チェック装置。
【請求項７】
前記チェック手段は、
使用条件を指定して、該使用条件に合致していない候補を前記管理データベースから抽出する抽出手段と、
前記抽出手段により抽出された情報に含まれる前記ＵＲＬに基づき使用可能なサーバにアクセスし、前記透かし情報が埋め込まれた著作物情報をダウンロードするアクセス手段と、
ダウンロードされた著作物情報から埋め込まれている透かし情報を抽出し、該透かし情報に基づいて前記管理データベースから対応する情報を読み込む読込手段と、
前記読込手段により読み込まれた情報の使用条件をチェックする使用条件チェック手段と、
を含む請求項４記載の著作物の使用条件違反チェック装置。
【請求項８】
ディジタル画像、動画を含む著作物をインターネットを含むネットワークを介して公開したり、購入者に送信することにより販売するコンテンツ管理サーバにおいて実行される該著作物の使用条件をチェックする著作物の使用条件違反チェックプログラムを格納した記憶媒体であって、
原著作物に透かし技術により消去あるいは、改ざん不可能な形態で透かし情報を埋め込む透かし情報埋込ステップと、
管理データベースに少なくとも前記原画像情報、著作者情報、使用条件、ＵＲＬを含む使用可能なサーバ情報を格納する格納ステップと、
前記透かし情報埋込ステップにより透かし情報が埋め込まれた著作物情報を購入申し込みを行った購入者サーバに送信する送信ステップと、
所定または、任意のタイミングで使用条件に違反していないかを、前記ＵＲＬに基づき使用可能なサーバにアクセスしてチェックするチェックステップと、
をコンピュータに実行させるプログラムを格納したことを特徴とする著作物の使用条件違反チェックプログラムを格納した記憶媒体。
【請求項９】
前記透かし情報埋込ステップは、埋め込む前記透かし情報を、著作物ＩＤ，著作者ＩＤ、購入した場合は、さらに、購入者ＩＤとする
請求項８記載の著作物の使用条件違反チェックプログラムを格納した記憶媒体。
【請求項１０】
前記格納ステップは、前記管理データベースに格納する情報を、著作物ＩＤ、著作物名、著作者ＩＤ、著作者名、購入した場合は購入者ＩＤ、使用条件、前記ＵＲＬを含む使用可能なサーバ情報とする
請求項８記載の著作物の使用条件違反チェックプログラムを格納した記憶媒体。
【請求項１１】
前記チェックステップは、
使用条件を指定して、該使用条件に合致していない候補を前記管理データベースから抽出する抽出ステップと、
前記抽出ステップにより抽出された情報に含まれる前記ＵＲＬに基づき使用可能なサーバにアクセスし、前記透かし情報が埋め込まれた著作物情報をダウンロードするアクセスステップと、
ダウンロードされた著作物から埋め込まれている透かし情報を抽出し、該透かし情報に基づいて前記管理データベースから対応する情報を読み込む読込ステップと、
前記読込ステップにより読み込まれた情報の使用条件をチェックする使用条件チェックステップと、
を含む請求項８記載の使用条件違反チェックプログラムを格納した記憶媒体。
【発明の詳細な説明】
【０００１】
【発明の属する技術分野】
本発明は、著作物の使用条件違反チェック方法及び装置及び著作物の使用条件違反チェックプログラムを格納した記憶媒体に係り、特に、ディジタル画像、動画等の著作物をインターネット等のネットワークを介して公開したり、販売する場合に必要となる使用条件チェックを行うための、著作物の使用条件違反チェック方法及び装置及び著作物の使用条件違反チェックプログラムを格納した記憶媒体に関する。
【０００２】
【従来の技術】
従来、インターネットにおいて、写真等の著作物を公開したり、販売する場合、購入者が使用期限等の使用条件に違反していないかをチェックするためには、販売側が購入者のサーバにアクセスし、人間の目によって販売した画像を検索し、使用条件に違反していないかをチェックし、違反している場合には当該購入者に違反している旨を通知し、追徴金請求等の処理を行っている。
【０００３】
【発明が解決しようとする課題】
しかしながら、上記従来の方法では、著作物のチェックを人手で行っているため、誤りが起きやすい上に、時間がかかり、それに伴ってコストが増加するという問題がある。
本発明は、上記の点に鑑みなされたもので、ディジタル画像、動画等の著作物をインターネット等のオープンネットワークを介して販売した著作物の使用条件や違反チェックを自動的に行うことが可能な著作物の使用条件違反チェック方法及び装置及び著作物の使用条件違反チェックプログラムを格納した記憶媒体を提供することを目的とする。
【０００４】
【課題を解決するための手段】
図１は、本発明の原理を説明するための図である。
本発明は、ディジタル画像、動画を含む著作物をインターネットを含むネットワークを介して公開したり、販売する場合に必要となる、著作物の使用条件違反チェック装置が使用条件チェックを行うための、著作物の使用条件違反チェック方法において、
透かし情報埋込手段が、原著作物に透かし技術により消去あるいは、改ざん不可能な形態で透かし情報を埋め込み（ステップ１）、
格納手段が、管理データベースに少なくとも原著作物情報、著作者情報、使用条件、ＵＲＬを含む使用可能なサーバ情報を格納し（ステップ２）、
送信手段が、透かし情報が埋め込まれた著作物情報を購入申し込みを行った購入者サーバに送信し（ステップ３）、
チェック手段が、所定または、任意のタイミングで使用条件に違反していないかを、ＵＲＬに基づき使用可能なサーバにアクセスしてチェックする（ステップ４）。
【０００５】
また、本発明は、埋め込む電子透かし情報を、著作物ＩＤ、著作者ＩＤ、購入した場合は、さらに、購入者ＩＤとし、管理データベースに格納する情報を、著作物ＩＤ，著作物名、著作者ＩＤ、著作者名、購入した場合は購入者ＩＤ、使用条件、ＵＲＬを含む使用可能なサーバ情報とする。
また、本発明は、チェック手段が、使用条件に違反していないかをチェックする際に、
使用条件を指定して、該使用条件に合致していない候補を管理データベースから抽出し、抽出された情報に含まれるＵＲＬに基づき使用可能なサーバにアクセスし、透かし情報が埋め込まれた著作物情報をダウンロードし、ダウンロードされた著作物情報から埋め込まれている透かし情報を抽出し、該透かし情報に基づいて管理データベースから対応する情報を読み込んで、使用条件をチェックする。
【０００６】
図２は、本発明の原理構成図である。
本発明は、  ディジタル画像、動画を含む著作物インターネットを含むネットワークを介して公開したり、購入者に送信することにより販売するコンテンツ管理サーバにおいて、該著作物の使用条件をチェックする著作物の使用条件違反チェック装置１００であって、
原著作物に透かし技術により消去あるいは、改ざん不可能な形態で透かし情報を埋め込む透かし情報埋込手段１１０と、
管理データベース１０に少なくとも原著作物情報、著作者情報、使用条件、ＵＲＬを含む使用可能なサーバ情報を格納する格納手段１２０と、
透かし情報埋込手段１１０により透かし情報が埋め込まれた著作物情報を購入申し込みを行った購入者サーバに送信する送信手段１３０と、
所定または、任意のタイミングで使用条件に違反していないかを、ＵＲＬに基づき使用可能なサーバにアクセスしてチェックするチェック手段１４０と、を有する。
【０００７】
上記の透かし情報埋込手段１１０は、埋め込む透かし情報を、著作物ＩＤ、著作者ＩＤ、購入した場合は、さらに、購入者ＩＤとする。
上記の格納手段１２０は、管理データベース１０に格納する情報を、著作物ＩＤ、著作物名、著作者ＩＤ、著作者名、購入した場合は購入者ＩＤ、使用条件、ＵＲＬを含む使用可能なサーバ情報とする。
【０００８】
上記のチェック手段１４０は、
使用条件を指定して、該使用条件に合致していない候補を管理データベースから抽出する抽出手段と、
抽出手段により抽出された情報に含まれるＵＲＬに基づき使用可能なサーバにアクセスし、透かし情報が埋め込まれた著作物情報をダウンロードするアクセス手段と、
ダウンロードされた著作物情報から埋め込まれている透かし情報を抽出し、該透かし情報に基づいて管理データベースから対応する情報を読み込む読込手段と、
読込手段により読み込まれた情報の使用条件をチェックする使用条件チェック手段と、を含む。
【０００９】
本発明は、ディジタル画像、動画を含む著作物をインターネットを含むネットワークを介して公開したり、購入者に送信することにより販売するコンテンツ管理サーバにおいて実行される該著作物の使用条件をチェックする著作物の使用条件違反チェックプログラムを格納した記憶媒体であって、
原著作物に透かし技術により消去あるいは、改ざん不可能な形態で透かし情報を埋め込む透かし情報埋込ステップと、
管理データベースに少なくとも原画像情報、著作者情報、使用条件、ＵＲＬを含む使用可能なサーバ情報を格納する格納ステップと、
透かし情報埋込ステップにより透かし情報が埋め込まれた著作物情報を購入申し込みを行った購入者サーバに送信する送信ステップと、
所定または、任意のタイミングで使用条件に違反していないかを、ＵＲＬに基づき使用可能なサーバにアクセスしてチェックするチェックステップと、をコンピュータに実行させるプログラムを格納した記憶媒体である。
【００１０】
また、上記の透かし情報埋込ステップは、埋め込む透かし情報を、著作物ＩＤ，著作者ＩＤ、購入した場合は、さらに、購入者ＩＤとする。
また、上記の格納ステップは、管理データベースに格納する情報を、著作物ＩＤ、著作物名、著作者ＩＤ、著作者名、購入した場合は購入者ＩＤ、使用条件、ＵＲＬを含む使用可能なサーバ情報とする。
【００１１】
また、上記のチェックステップは、
使用条件を指定して、該使用条件に合致していない候補を管理データベースから抽出する抽出ステップと、
抽出ステップにより抽出された情報に含まれるＵＲＬに基づき使用可能なサーバにアクセスし、透かし情報が埋め込まれた著作物情報をダウンロードするアクセスステップと、
ダウンロードされた著作物から埋め込まれている透かし情報を抽出し、該透かし情報に基づいて管理データベースから対応する情報を読み込む読込ステップと、
読込ステップにより読み込まれた情報の使用条件をチェックする使用条件チェックステップと、を含む。
【００１２】
これにより、本発明では、著作物情報（原画）に透かし情報として、画像ＩＤ、著作者ＩＤ、購入者ＩＤを埋め込んで購入者サーバに送信することにより、購入者サーバでは、これらの情報を改ざんできない。
さらに、違反の可能性がある情報（使用期限を経過しているにも関わらず、使用を続けているような場合には使用条件違反の可能性があるため、当該期日が到来していると思われる情報）を管理データベースから読み出して、当該データベースの情報に含まれているＵＲＬを含む使用可能な場所情報を用いて購買者サーバにアクセスして、透かし情報が埋め込まれている画像情報を取得し、透かし情報に基づいてデータベースを検索し、使用条件との照合を行うことで、使用条件違反をチェックすることができる。
【００１３】
【発明の実施の形態】
図３は、本発明が適用されるシステム構成を示す。
同図におけるシステムは、コンテンツ管理データベース１０、コンテンツ管理サーバ２０、インターネット３０、購入者ＷＷＷサーバ（以下購入者サーバと記す）４０1 〜４０n から構成される。
【００１４】
コンテンツ管理サーバ２０は、購入者サーバ４０から購入の申し込みがあった場合に、原画像に透かし情報として画像ＩＤ、著作者ＩＤ、購入者ＩＤを埋め込み、購入者サーバ４０に送信する。さらに、コンテンツ管理データベース１０に当該埋め込み情報に加えて、画像名、著作者名、当該原画（商品）の使用条件、購入申し込みのあった購入者サーバ４０のＵＲＬを挿入する。さらに、コンテンツ管理データベース１０に格納されている使用条件と、購入者サーバ４０からダウンロードした情報とを照合し、使用条件違反を抽出して、違反している購入者サーバ４０に対して違反に関する処理を行う。
【００１５】
コンテンツ管理データベース１０は、コンテンツ管理サーバ２０が原画像に埋め込んだ透かし情報及び画像名、著作者名、使用条件、使用している購入者サーバ４０のＵＲＬ等を格納する。
インターネット３０は、コンテンツ管理サーバ２０と購入者サーバ４０との間の通信を行う。
【００１６】
購入者サーバ４０は、コンテンツ管理サーバ２０から、ディジタル画像、動画等の商品である著作物を購入し、実行する。
図４は、本発明のコンテンツ管理サーバの構成を示す。
コンテンツ管理サーバ２０は、透かし情報埋め込み部２１、データベース読出部２２、購入者サーバアクセス部２３、メモリ２４、チェック部２５、及び違反処理部２６から構成される。
【００１７】
透かし情報埋め込み部２１は、購入サーバ４０から購入申し込みを受け付けると、例えば、既存のディジタル透かし技術（特願平８−３０５３７０号、特願平８−３３８７６９）を用いて、原画像に画像ＩＤ、著作者ＩＤ、購入者ＩＤを埋め込み、さらに、当該埋め込み情報と、画像名、著作者名、使用条件、購入者サーバのＵＲＬをコンテンツ管理データベース１０に書き込む。これにより、コンテンツ管理データベース１０は、図５に示すような情報が埋め込まれる。
【００１８】
データベース読出部２２は、コンテンツ管理データベース１０の内容を読み出し、期限切れなどの使用条件に違反している可能性のあるＵＲＬを抽出し、チェック部２５及び購入者サーバアクセス部２３に転送する。
購入者サーバアクセス部２３は、データベース読出部２２から取得したＵＲＬをキーにして購入者サーバ４０にアクセスし、当該購入者サーバ４０から商品である画像をダウンロードし、メモリ２４に書き込む。
【００１９】
メモリ２４は、ダウンロードされた画像情報を格納する。
チェック部２５は、メモリ２４に格納されている画像情報に埋め込まれている透かし情報（画像ＩＤ、著作者ＩＤ、購入者ＩＤ）を読み出して、コンテンツ管理データベース１０から読み出された情報に含まれる使用条件に違反しているＵＲＬがないかをチェックし、違反があったＵＲＬを違反処理部２６に転送する。
【００２０】
違反処理部２６は、チェック部２５において違反していると判定されたＵＲＬに対応する購入者サーバに違反している旨を通知すると共に、追徴金請求処理を行う。
図６は、本発明の使用条件違反チェック動作を示すシーケンスチャートである。
【００２１】
ステップ１０１）  コンテンツ管理サーバ２０に対して購入者サーバ４０から画像情報の購入申し込みが発行される。
ステップ１０２）  コンテンツ管理サーバ２０は、購入者サーバ４０から購入申し込みを受け付けると、透かし情報埋込部２１は、購入申し込みに対応する賞品（画像情報）の画像ＩＤ、当該画像情報を生成した著作者ＩＤ、購入者サーバ４０毎に一意に付与されている購入者ＩＤをディジタル透かし技術により原画像に埋め込む。
【００２２】
ステップ１０３）  さらに、透かし情報埋込部２１は、ステップ１０２で原画像に埋め込んだ情報と、画像名、著作者名、使用条件、当該商品（画像情報）を購入した購入者サーバ４０のＵＲＬをコンテンツ管理データベース１０に書き込む。
ステップ１０４）  透かし情報を埋め込んだ画像商品を販売する。販売の方法は当該業者による販売方法に依存されるが、インターネット３０を介して購入サーバ４０に送信するものとする。
【００２３】
ステップ１０５）  データベース読出部２２は、所定の周期または、任意の期日に条件違反を犯している購入者サーバ４０が存在するかをチェックするために、期間条件等の条件項目を入力して、当該条件項目にヒットする情報を読み出し、読み出された情報に含まれる購入者サーバ４０のＵＲＬを抽出し、購入者サーバアクセス部２３に転送する。
【００２４】
ステップ１０６）  購入者サーバアクセス部２３は、データベース読出部２２から取得したＵＲＬに基づいて購入者サーバ４０にアクセスする。
ステップ１０７）  購入者サーバアクセス部２３は、アクセスにより購入者サーバ４０から画像商品の情報をダウンロードし、メモリ２４に格納する。
ステップ１０８）  チェック部２５は、メモリ２４に格納されている情報から透かし情報を抽出する。当該透かし情報の抽出は、既存のディジタル透かし埋込技術を用いて行うものとする。
【００２５】
ステップ１０９）  チェック部２５は、コンテンツ管理データベース１０から抽出された透かし情報に対応する情報を読み出すように、データベース読出部２２に指示する。これによりデータベース読出部２２は、透かし情報に対応するコンテンツ管理情報（図５）を読み出してチェック部２５に渡す。チェック部２５は、取得したコンテンツ管理情報とメモリ２４に格納されている情報とを照合する。
【００２６】
ステップ１１０）  照合の結果、違反しているＵＲＬを有する購入者がある場合には、ステップ１１１に移行し、違反者がいない場合には処理を終了する。
ステップ１１１）  違反処理部２６は、当該購入者（購入者サーバ４０）に対して違反している旨を通知すると共に、追徴金の請求処理を行う。
なお、ステップ１０２におけるディタル透かし埋込技術とは、画像情報内に人間に知覚されないように別の情報を埋込、必要時に埋め込んだ情報を取り出すことを可能とした技術である。
【００２７】
以下にその透かし埋込技術の原理を説明する。
ディジタル透かし埋込技術における埋込処理は、分解処理、直交変換処理、埋込処理、分解処理、逆直交変換処理及び再構成処理から構成される。
分解処理では、原画像を１ブロックがｎ画素×ｍ画素の複数ブロックに分解する。動画像の場合には、各フレーム等に分け、それぞれのフレームを複数ブロックに分解する。
【００２８】
直交変換処理では、分解処理で分解したそれぞれのブロックに離散コサイン変換（ＤＣＴ変換）等の直交変換を施し、ｎ×ｍの周波数成分行列を得る。埋め込み情報の埋め込みに先立ち、直交変換処理でえられた周波数成分行列のどの位置に埋め込み情報を埋め込むかを決定する埋め込み位置を乱数により決定し、さらに、その位置に周波数成分の値をどの程度変更するかを示す変更量を決定し、決定した埋め込み位置と変更量を鍵情報として取得しておく。
【００２９】
埋め込み処理では、埋め込み情報を埋め込む場合、１つのブロックに対する周波数成分行列に全てを埋め込む必要はなく、複数のブロックの周波数成分行列にまたがって埋め込んでもよい。埋め込み位置として、例えば、周波数成分行列の低周波数部分を選択することにより、人間に知覚できないように埋め込むことができる。また、変更量を変えることにより、周波数成分行列の元の値との差を変えられるため、画質の劣化を制御することができる。埋め込み処理では、鍵情報の埋め込み位置と変化量に基づいてそれぞれのブロックの周波数成分行列の値を変え、埋め込み情報を埋め込む。
【００３０】
逆直交変換処理では、埋め込み処理により埋め込み情報が埋め込まれたそれぞれのブロックの周波数成分行列を逆直交変換し、ｎ画素×ｍ画素のブロック画像を得る。
再構成処理では、逆直交変換処理で得られた各ブロック画像をつなぎ合わせ、埋め込み情報が埋め込まれた透かし画像を得る。
【００３１】
次に、上記のステップ１０８における埋め込み情報を取り出す場合の処理を説明する。
埋込情報を取り出すには、分解処理、直交変換処理、取出処理等がある。
分解処理では、透かし画像を１ブロックがｎ画素×ｍ画素の複数ブロックに分解する。
【００３２】
直交変換処理では、分解処理で分解されたそれぞれのブロックに対し、直交変換を行い、ｎ×ｍの周波数成分行列を得る。
取り出し処理では、埋込時における埋め込み処理で用いた鍵情報から埋め込み位置と変更量を得て、それぞれのブロックの周波数成分行列から埋め込み情報を取り出す。
【００３３】
以上のように、ディジタル透かし技術は、▲１▼埋め込み時に用いた鍵情報がなければ埋め込み情報の取り出しができないこと、▲２▼鍵情報中の埋め込み情報は乱数により作成するため固定されておらず、埋め込み情報の解読は困難なこと、▲３▼埋め込み位置を工夫することにより、人間が知覚できないように埋め込み情報を埋め込むこと、▲４▼変更量を変えることにより、画質の劣化の程度を制御できること、等の特徴がある。
【００３４】
【実施例】
以下に本発明の実施例を図面と共に説明する。
以下の例では、チェック日を１９９７年７月１０日とし、使用条件を購入日から９０日とし、購入申し込み毎に、使用条件として使用期限がコンテンツ管理データベース１０に格納されているものとして説明する。
【００３５】
図７は、本発明の一実施例のコンテンツ管理データベースの内容の例を示す。
購入サーバ４０から現在５つの購入申し込みがあり、各々の申し込みに対して画像ＩＤ１１、画像名１２、著作者ＩＤ１３、著作者名１４、使用条件（使用期限）１５、及び購入者サーバＵＲＬがコンテンツ管理データベース１０に登録されているものとする。
【００３６】
また、画像ＩＤ、著作者ＩＤ、購入者ＩＤが透かし埋込技術により、販売する各々の画像商品に埋め込まれており、コンテンツ管理サーバ２０から購入者サーバ４０に送信されているものとする。
コンテンツ管理サーバ２０のデータベース読出部２２は、コンテンツ管理データベース１０からチェック日（１９９７年７月１０日）以前のレコードを読み出して、その中からＵＲＬを抽出する（ステップ１０５）。このとき、読み出されたＵＲＬを含むレコードは、チェック日の７月１０日以前に既に使用期限が経過しているレコードであり、レコード番号１、２、３の３つのレコードである。
【００３７】
これにより、購入者サーバアクセス部２３は、抽出されたＵＲＬ
0003539141.tif 000002
に対してアクセスする（ステップ１０６）。アクセスにより取得した画像商品の情報をメモリ２４にダウンロードする（ステップ１０７）。次にチェック部２５は、メモリ２４にダウンロードされている内容から販売時に埋め込んだ透かし情報を抽出し（ステップ１０８）、当該透かし情報に基づいてコンテンツ管理データベース１０から対応するレコードを読み込む。さらに、読み込まれたレコードの使用条件を抽出し、当該使用条件である使用期限が１９９７年７月１０を経過しているものを抽出する（ステップ１０９）。違反処理部２６は、抽出されたレコードよりＵＲＬを抽出して、当該ＵＲＬに向けて違反通知を送信すると共に、追徴金の請求を行う。
【００３８】
なお、原画像に透かし情報を埋め込む際に、当該透かし情報となる情報の項目は、人手によりキーボード等から入力する方法でも、専用の情報ファイルから読み込んで埋め込むような方法でもよい。
さらに、上記の実施例では、使用条件として使用期限を用いて説明しているが、この例に限定されることなく、料金の支払が完了していない場合等、種々の使用条件を用いてチェックすることが可能である。
【００３９】
また、上記の実施例では、コンテンツ管理サーバ２０の構成要件に基づいて説明しているが、この例に限定されることなく、コンテンツ管理サーバ２０の各々の構成要件をソフトウェア（プログラム）で構築し、ディスク装置等に格納しておき、必要に応じてコンテンツ管理サーバ２０のコンピュータにインストールして使用条件違反のチェックを行うことも可能である。さらに、構築されたプログラムをフロッピーディスクやＣＤ−ＲＯＭ等の可搬記憶媒体に格納し、このようなシステムを用いる場面で汎用的に使用することも可能である。
【００４０】
本発明は、上記の実施例に限定されることなく、特許請求の範囲内で種々変更・応用が可能である。
【００４１】
【発明の効果】
上述のように、本発明によれば、商品となる原画に透かし情報として、画像ＩＤ、著作者ＩＤ、購入者ＩＤを埋め込んでインターネット等のオープンネットワークを介して購入者サーバに送信することにより、購入者サーバでは、これらの情報を改ざんできないため、不正に料金の徴収を免れたり、不正に使用することが不可能となる。
【００４２】
さらに、使用期限を経過しているにも関わらず、使用を続けているような場合には使用条件違反の可能性があるため、当該期日が到来していると思われる情報を管理データベースから読み出して、当該データベースの情報に含まれているＵＲＬを用いて購買者サーバにアクセスして、透かし情報が埋め込まれている画像情報を取得し、透かし情報に基づいてデータベースを検索し、使用条件との照合を行うことで、使用条件違反を人手を介さずに、自動的にチェックすることができる。
【図面の簡単な説明】
【図１】本発明の原理を説明するための図である。
【図２】本発明の原理構成図である。
【図３】本発明が適用されるシステム構成図である。
【図４】本発明のコンテンツ管理サーバの構成図である。
【図５】本発明のコンテンツ管理データベースの内容を示す図である。
【図６】本発明の使用条件違反チェック動作を示すシーケンスチャートである。
【図７】本発明の一実施例のコンテンツ管理データベースの内容の例を示す図である。
【符号の説明】
１０  コンテンツ管理データベース
１１  画像ＩＤ
１２  画像名
１３  著作者ＩＤ
１４  著作者名
１５  購入者ＩＤ
１６  使用条件
１７  ＷＷＷサーバＵＲＬ
２０  コンテンツ管理サーバ
２１  透かし情報埋込部
２２  データベース読出部
２３  購入者サーバアクセス部
２４  メモリ
２５  チェック部
２６  違反処理部
３０  インターネット
４０  購入者ＷＷＷサーバ
１００  著作物の使用条件違反チェック装置
１１０  透かし情報埋込手段
１２０  格納手段
１３０  送信手段
１４０  チェック手段
【図１】
0003539141.tif 000003
【図２】
0003539141.tif 000004
【図３】
0003539141.tif 000005
【図４】
0003539141.tif 000006
【図５】
0003539141.tif 000007
【図６】
0003539141.tif 000008
【図７】
0003539141.tif 000009